(57)【要約】【課題】収納可能な操作部による使い勝手のよさ、利便性及びデザイン性の向上という利点を生かしつつ、不意に生じる事態への迅速な対応が可能なコンロを提供する。【解決手段】加熱部１０の動作を制御するコントローラ７と、加熱部１０、コントローラ７、操作部１００への電気の供給と遮断を行う主電源５とを備え、操作部１００が、コンロ本体１もしくはキッチンユニットに収納され操作スイッチを操作不能な閉姿勢と、コンロ本体１から突出して操作スイッチが露出されて操作スイッチを操作可能な開姿勢とを切替自在に構成され、主電源５が、コンロ本体１の前側面裏側に設置され、操作部１００の閉姿勢から開姿勢への姿勢変更に伴って、コンロ本体内で主電源５からの電気の供給を遮断状態から供給状態に切替え、且つ、操作部１００の開姿勢から閉姿勢への姿勢変更に伴って、コンロ本体内で主電源５からの電気の供給を供給状態から遮断状態に切替える。【選択図】図３
2014066514.tif 000002
【特許請求の範囲】
【請求項１】
調理物を加熱する加熱部の動作を制御するコントローラと、
前記コントローラを介して前記加熱部の操作を行う操作スイッチが配置された操作パネルを有する操作部と、
前記加熱部、前記コントローラ及び前記操作部への電気の供給と遮断を行う主電源とを備え、
前記操作部が、コンロ本体もしくは当該コンロ本体が取り付けられたキッチンユニットに収納され前記操作スイッチの操作が不能な閉姿勢と、前記コンロ本体から突出して前記操作スイッチが露出されて前記操作スイッチの操作が可能な開姿勢との間で姿勢切替自在に構成されるコンロであって、
前記主電源が、前記コンロ本体の前側面裏側に設置され、
前記操作部の前記閉姿勢から前記開姿勢への姿勢変更に伴って、前記コンロ本体内で前記主電源からの電気の供給を遮断状態から供給状態に切替え、且つ、前記操作部の前記開姿勢から前記閉姿勢への姿勢変更に伴って、前記コンロ本体内で前記主電源からの電気の供給を供給状態から遮断状態に切替える切替構造を有することを特徴とするコンロ。
【請求項２】
前記操作部が、前記閉姿勢と前記開姿勢との間で揺動軸周りに揺動自在に構成され、
前記閉姿勢において前記操作パネルが前記コンロ本体もしくは前記キッチンユニットに収納され、
前記開姿勢において前記操作パネルが露出することを特徴とする請求項１に記載のコンロ。
【請求項３】
前記操作部が、前記コンロ本体もしくは前記キッチンユニットから引出し自在に構成され、
前記操作部が前記コンロ本体もしくは前記キッチンユニットから収納された前記閉姿勢において、前記操作パネルが前記コンロ本体もしくは前記キッチンユニットに収納され、
前記操作部が前記コンロ本体もしくは前記キッチンユニットから引出された前記開姿勢において、前記操作パネルが露出されることを特徴とする請求項１に記載のコンロ。
【請求項４】
前記加熱部がバーナであるとともに、前記操作部を前記コンロ本体に備え、
前記開姿勢においてコンロ外部とコンロ内部とを連通する通気口を備え、
前記開姿勢において、コンロ外部の空気をコンロ内部に取り入れて前記バーナに供給する燃焼用一次空気取入口を形成し、前記閉姿勢において、前記通気口が閉じることを特徴とする請求項１〜３のいずれか一項に記載のコンロ。
【発明の詳細な説明】
【技術分野】
【０００１】
本発明は、調理物を加熱する加熱部の動作を制御するコントローラと、前記コントローラを介して前記加熱部の操作を行う操作スイッチが配置された操作パネルを有する操作部と前記加熱部、前記コントローラ及び前記操作部への電気の供給と遮断を行う主電源とを備え、前記操作部が、コンロ本体もしくはコンロ本体が取り付けられたキッチンユニットに収納され前記操作スイッチの操作が不能な閉姿勢と、前記操作スイッチが露出されて前記操作スイッチの操作が可能な開姿勢との間で姿勢切替自在に構成されるコンロに関する。
【背景技術】
【０００２】
従来技術として、特許文献１、２に操作スイッチとして働く操作キー類を多く配置した操作部を備える調理器具において、操作部をコンロ本体もしくはコンロ本体が取り付けられたキッチンユニットに収納可能としたものが開示されている。特許文献１では揺動軸周りに揺動して開閉する揺動式（カンガルーポケット方式）により、特許文献２ではスライドレールにより前後に摺動して開閉する前後摺動方式（スライダー方式）により、操作部を調理器具本体内部に収納可能としている。これにより、操作が必要な場合には操作部を開き、しかも、コンロ本体もしくはキッチンユニットから突出した操作部において、使用者が操作しやすい位置に操作キー類を配置することで、調理器具の使い勝手及び利便性を向上させることができた。
【０００３】
また、これらの調理器具では、操作を行わない場合は多数の操作キー類を配置した操作部を調理器具本体内部に収納することができるため、外観をシンプルにすることができ、調理器具のデザイン性を向上させることができた。
【先行技術文献】
【特許文献】
【０００４】
【特許文献１】特開２００３−３２９２５２号公報
【特許文献２】特開２００２−２３８６７６号公報
【発明の概要】
【発明が解決しようとする課題】
【０００５】
しかし、操作部が収納可能であり、また、全ての操作キー類が操作部に配置された特許文献１の調理台（コンロ）では、コンロ使用時に操作部を閉姿勢とすると、不意な吹きこぼれを防止すべく、急にコンロバーナの火力を調整しようとした場合や、不注意で調理物を焦がしてしまったため、急にコンロバーナを消火しようとした場合でも、操作部が操作スイッチの操作ができない閉姿勢となっているため、迅速な火力調整操作や消火操作を行うことができなかった。
【０００６】
そこで特許文献２の調理器では、操作部を収納可能としつつ、操作部とは別に電源用の第２電源スイッチを設けることで、第２スイッチを押せばすぐに消火できる構成としている。しかし、当該構成では、第２電源スイッチが操作部とは別の位置に配置されているため、当該電源スイッチを操作するにはその位置を確認する必要があり、不意な吹きこぼれや不注意による焦げへの迅速な対応の妨げとなる場合があった。
【０００７】
図７に、特許文献１に開示されたコンロの斜視図を示す。図７に示すコンロは操作部１００をコンロ本体内部に収納可能としつつ、主電源５を操作部１００の上部、コンロ本体前面上隅に配置したものである。当該コンロでは、主電源５が操作部１００とは独立に、常に押下可能なコンロ本体前面に配置されていることから、操作部１００の開閉状態によらず、調理中に機器の不意な停止が必要となった場合には、操作部１００を引き出す手間を生じることなく、コンロ本体前面上隅に配置された主電源５を押下してコンロの動作を停止させることができる。
【０００８】
しかし、図７の構成を採った場合でも、使用者は主電源５の位置を予め把握している必要がある上、操作部１００が開いた状態の場合には、使用者に対して突出した状態にある操作部１００が、使用者のスムーズな主電源５の押下の障害となる恐れがあった。
【０００９】
また、図７の構成は、元来、操作部１００を収納することで外観をシンプルにすることを目的としていたところ、主電源５が常にコンロ本体前面に位置していることで、外観のシンプル化及びデザイン性の向上を妨げる恐れがあった。
【００１０】
本願発明は上記の課題に鑑みてなされたものであり、その目的は、収納可能な操作部による使い勝手のよさ、利便性及びデザイン性の向上という利点を生かしつつ、不意に生じる事態への迅速な対応が可能なコンロを提供することにある。
【課題を解決するための手段】
【００１１】
上記目的を達成するための本発明に係るコンロの特徴構成は、調理物を加熱する加熱部の動作を制御するコントローラと、前記コントローラを介して前記加熱部の操作を行う操作スイッチが配置された操作パネルを有する操作部と、前記加熱部、前記コントローラ及び前記操作部への電気の供給と遮断を行う主電源とを備え、前記操作部が、コンロ本体もしくは当該コンロ本体が取り付けられたキッチンユニットに収納され前記操作スイッチの操作が不能な閉姿勢と、前記コンロ本体から突出して前記操作スイッチが露出されて前記操作スイッチの操作が可能な開姿勢との間で姿勢切替自在に構成されるコンロであって、前記主電源が、前記コンロ本体の前側面裏側に設置され、前記操作部の前記閉姿勢から前記開姿勢への姿勢変更に伴って、前記コンロ本体内で前記主電源からの電気の供給を遮断状態から供給状態に切替え、且つ、前記操作部の前記開姿勢から前記閉姿勢への姿勢変更に伴って、前記コンロ本体内で前記主電源からの電気の供給を供給状態から遮断状態に切替える切替構造を有する点にある。
【００１２】
上記の特徴構成によれば、コンロの操作部の開閉（姿勢変更）が主電源のオン／オフと連動しているため、コンロ使用中は常に操作部が開姿勢を取って開いていることになる。したがって、例えばコンロ使用中に吹きこぼれや焦げのような不意の事故が生じ、加熱部であるバーナを消火しようとしたり、火力を調整しようとした場合でも、操作部が開いた状態であるため、必要なボタン操作をすぐに行うことができる。
また、閉姿勢を取って操作部が閉じている場合は主電源がオフになっているため、コンロが不使用であることが保証される。これにより、操作部が閉じた状態（閉姿勢）で不意の事故が生じ、対応が遅れることを防止できる。
【００１３】
本発明に係るコンロの更なる特徴構成は、前記操作部が、前記閉姿勢と前記開姿勢との間で揺動軸周りに揺動自在に構成され、前記閉姿勢において前記操作パネルが前記コンロ本体もしくは前記キッチンユニットに収納され、前記開姿勢において前記操作スイッチを備えた操作パネルが露出する点にある。
【００１４】
或いは、本発明に係るコンロの更なる特徴構成は、前記操作部が、前記コンロ本体もしくは前記キッチンユニットから引出し自在に構成され、前記操作部が前記コンロ本体もしくは前記キッチンユニットから収納された前記閉姿勢において、前記操作パネルが前記コンロ本体もしくは前記キッチンユニットに収納され、前記操作部が前記コンロ本体もしくは前記キッチンユニットから引出された前記開姿勢において、前記操作パネルが露出される点にある。
【００１５】
上記の特徴構成によれば、前記操作部の揺動、或いは前記操作部の引出し移動に伴って、操作部の操作パネルに設けられる操作スイッチを操作できる状態（開姿勢で取る状態）と、操作スイッチを操作できない状態（閉姿勢で取る状態）との間で切替可能となる。そして、操作部を開けた開姿勢において、操作部は使用者に向かって突出した状態となる。そして、突出した操作部のうち、使用者からの操作及び表示確認に適した箇所に操作スイッチを配置することで、使用者にとって操作及び表示確認をし易いコンロを提供することができる。
【００１６】
本発明に係るコンロの更なる特徴構成は、前記加熱部がバーナであるとともに、前記操作部を前記コンロ本体に備え、前記開姿勢においてコンロ外部とコンロ内部とを連通する通気口を備え、前記開姿勢において、コンロ外部の空気をコンロ内部に取り入れて前記バーナに供給する燃焼用一次空気取入口を形成し、前記閉姿勢において、前記通気口が閉じる点にある。
【００１７】
上記の特徴構成によれば、コンロ操作部を開け、開姿勢とすることでコンロ外部とコンロ内部とを連通する通気口を通じて燃焼用一次空気取入通路が形成されるので、コンロ使用中は前記通気口を介して燃焼用一次空気を取り入れることができる。また、コンロ不使用時は、操作部が閉じた状態であるため通気口が閉じ、コンロ外面に通気口が見当たらない状態となるため、コンロがデザイン的にすっきりしたものとなる。
【図面の簡単な説明】
【００１８】
【図１】揺動式（カンガルーポケット方式）の操作部を備えた本願発明に係るコンロの斜視図である。
【図２】本願発明に係るコンロの操作パネルの正面図である。
【図３】揺動式（カンガルーポケット方式）の操作部を備えた本願発明に係るコンロの側断面図である。
【図４】揺動式（カンガルーポケット方式）の操作部を備えた本願発明に係るコンロの側断面図（一部）である。
【図５】前後摺動式（スライドレール方式、引出し方式）の操作部を備えた本願発明に係るコンロの斜視図である。
【図６】前後摺動式（スライドレール方式、引出し方式）の操作部を備えた本願発明に係るコンロの側断面図（一部）である。
【図７】揺動式（カンガルーポケット方式）で操作部を備えた従来技術のコンロの斜視図である。
【発明を実施するための形態】
【００１９】
以下では、本願発明に係るコンロの実施形態を図面に基づいて説明する。
【００２０】
〔第１実施形態〕
図１（ａ）（ｂ）は、システムキッチンＳＫのカウンタトップにドロップイン式ガスコンロを組み込んだ本願発明に係るガスコンロを示す斜視図である。当該ガスコンロは、上面を開放面とする箱形のコンロ本体１を備えている。
【００２１】
コンロ本体１には、加熱部として、上面に前側の左右２個と後側の１個の計３個のコンロバーナ１０が、コンロ本体１の内部にグリル２０を備えて構成されており、そのグリル扉が前側面に配置されている。天板２にはこれら３個の各コンロバーナ１０を臨ませる開口を形成して、各開口を囲うように五徳１１を載置すると共に、天板２の後部に、グリル２０用の排気口３０を形成している。尚、各コンロバーナ１０には、その内周空間に位置させて、五徳１１上の調理容器の底面に当接してその温度を検出する鍋底温度センサ１２が付設されている。
【００２２】
コンロ本体１の前側面には、左側にグリル扉と、右側に各コンロバーナ１０及びグリル２０の操作を行うための操作部１００が設けられている。
【００２３】
コンロ本体１の前側面左側のグリル２０は、グリル調理に使用する。グリル扉の開閉により、グリル２０への調理物の投入及び取り出しが可能になる。本実施例では、グリル扉の開閉構造は前後摺動して開閉するスライドレール方式とされている。
【００２４】
コンロ本体１の前側面右側の操作部１００はコンロ本体１に収納可能な開閉構造となっており、本実施例では、操作部１００は揺動軸１０７周りに揺動する揺動式で構成している（カンガルーポケット方式）。コンロ使用時は図１（ａ）のように操作パネル１０５（操作部１００）を開いて使用するが（操作部１００は開姿勢を取る）、コンロを使用しない時は、開姿勢にある操作部１００を押圧することで、図１（ｂ）のように操作パネル１０５（操作部１００）をコンロ本体内部に収納する（操作部１００は閉姿勢を取る）。
一方、コンロを使用する場合は、図１（ｂ）の閉姿勢にある操作部１００を押圧することで、操作パネル１０５（操作部１００）は、コンロ本体内部に収納された閉姿勢から、使用者に向けて突出した図１（ａ）の開姿勢となる。
【００２５】
図１のように開閉構造を揺動式で構成した場合、コンロ使用時は操作パネル１０５が少し傾いた角度で使用者に提供されるため、使用者にとって操作しやすい構造となる。また、コンロ不使用時は、多数ある操作スイッチＭＳが操作パネル１０５全体としてコンロ本体１に収納され、操作部１００は押圧面のみが外観となるため、すっきりとしたデザインとなる。
【００２６】
図２は操作パネル１０５の正面図である。操作パネル１０５には操作スイッチＭＳとして、加熱部である３個のコンロバーナ１０、グリル２０の各々に対応する切／入キー１１０、火力調整キー１２０、電源状態及び使用中の火力状態を表示する複数個のＬＥＤ１３０が配置されており、コンロ使用時は、使用者はこれらの操作スイッチＭＳを通じて必要な入力を行う。切／入キー１１０、火力調整キー１２０はいずれも押圧により入力し、切／入キー１１０、火力調整キー１２０により入力されている調理状態（電源状態、火力状態）が、対応する加熱部（コンロバーナ１０、グリル２０）を示すＬＥＤ１３０に表示される。
【００２７】
前記コンロ本体１内には、操作パネル１０５上に設けられる操作スイッチＭＳの操作状態に従って燃焼部の燃焼状態を制御するマイコンから構成されるコントローラ７が備えられる。このコントローラ７は、操作スイッチＭＳの操作に従って、コンロバーナ１０、グリル２０への燃料ガスの供給、点火機構による混合ガスの点火、さらには、燃料ガス供給量及び消火等を制御する。また、本実施例のコンロでは、一定の調理シーケンスに従った自動調理が可能となっているため、当該調理シーケンスに従ったバーナの点火、加熱量調整、消火等の操作、さらには、現在の自動調理状況の表示等の制御も行うように構成されている。
【００２８】
図３に本実施形態に係るコンロの側断面図を示す。本実施形態に係るコンロでは、コンロ本体１の前側面裏側（フロントパネルの裏側）に主電源５を設置している。主電源５は操作パネル１０５、コンロバーナ１０、グリル２０を含む燃焼部に付属の付属機器、さらには、先に説明したコントローラ７の電源である。主電源５が入状態となることでコントローラ７が稼動し、主電源５が切状態となることでコントローラ７が停止する。コントローラ７はコンロ本体１内部の底部に設置されており、代表的には、後述する電動バルブ６の制御を通じて、本実施形態に係るコンロによる調理を制御する。
【００２９】
各コンロバーナ１０及びグリル２０のグリルバーナ（図示せず）へのガス供給を制御する電動バルブ６は、コンロ本体１内に設置されている。コンロバーナ１０、グリルバーナの切／入及び火力は、電動バルブ６によるガス供給の制御により調整される。電動バルブ６はコンロバーナ１０、グリルバーナ毎に設置されており、図２に示された操作スイッチＭＳ（切／入キー１１０、火力調整キー１２０）からの入力に基づいて、コントローラ７により制御される。
【００３０】
本願発明では、操作部１００の開閉が主電源５のオン／オフを伴う構成となっている。当該構成は例えば図３、図４（ａ）で示されるように、操作部１００の開姿勢では取掛部１０１が主電源５を押圧した入状態で固定する一方、図４（ｂ）で示されるように、操作部１００の閉姿勢では取掛部１０１が主電源５から離間し、主電源５を切状態とすることで実現される。このような構成により操作部１００の開閉が主電源５のオン／オフと連動し、操作部１００が開姿勢の場合は、主電源が常にオン状態となる。
【００３１】
上記のような構成により、例えばコンロ使用中に吹きこぼれや焦げのような不意の事故が生じ、コンロバーナ１０を消火しようとしたり火力を小さくしようとした場合でも、コンロ使用中は操作部１００が常に操作可能であるため、必要なボタン操作をすぐに行うことができる。一方、操作部１００が閉姿勢の場合は、主電源がオフとなるため、電動バルブ６の制御が行われず、コンロバーナ１０、グリルバーナは動作しない。したがって、操作部１００が閉姿勢の場合はコンロを用いた調理を行えないため、加熱による吹きこぼれや焦げのような不意の事故を避けることができる。
【００３２】
また、本実施形態では、図３に示すように、操作部１００の側面に通気口５０を備え、操作部１００の開姿勢で通気口５０が開くように構成されている。本実施形態に係るコンロは、これにより、操作部１００を開いたコンロ使用時にのみ通気口５０を開口し、通気口５０から取り入れた外部の空気をコンロ本体１の内部を経て燃焼用一次空気Ａとしてコンロバーナ１０、グリルバーナに供給する吸気経路を形成する。
【００３３】
このような構造により、燃焼用一次空気Ａが不要なコンロ不使用時には閉じた経路でありながら、燃焼用一次空気Ａが必要となるコンロ使用時にはコンロ本体１の外部と連通した経路となる開閉式の燃焼用一次空気取入経路を形成することができる。また、当該通気口５０は使用時にのみ突出する操作部側面に備えられているため、コンロ不使用時にはコンロの外観には見当たらない状態（閉姿勢）となる。したがって本実施形態によれば、通気口５０が常に開姿勢であり、外観の一部をなす従来の技術に比べて、デザイン的にすっきりとした外観のコンロを提供することができる。
【００３４】
〔第２実施形態〕
図５は本願発明の別実施形態として、操作部の開閉構造を前後摺動構造（スライドレール方式）で構成したガスコンロを示す図である。本実施形態においても、図６（ａ）で示されるように、操作部１００の開姿勢では取掛部１０１が主電源５を押圧した入状態で固定される一方、図６（ｂ）で示されるように、操作部１００の閉姿勢では取掛部１０１が主電源５から離間し、主電源５を切状態とする。このような構造により、本実施形態においても、操作部１００の開閉が主電源５のオン／オフと連動し、コンロ使用中は操作部１００が常に開いた状態となる一方、操作部１００を閉じると、主電源がオフになる。
【００３５】
なお、本実施形態においても、操作部１００の側面に通気口５０を備えることにより、コンロ使用時にのみ連通する燃焼用一次空気取入経路を形成することができる。さらに、電動バルブ６やコントローラ７によりガスコンロの動作制御を行う点については、先述の第１実施形態と同様である。
【００３６】
〔その他の実施形態〕
なお、上記ではコンロ及びグリルを備えたガスコンロを本願発明に係る実施例としてあげたが、当該限定にとらわれることなく、コンロのみを備えるガスコンロであってもよい。
上記の実施形態では、操作部がコンロ本体に備えられる構成を示したが、当該操作部は、コンロ本体が備えられ、このコンロ本体とは別にキッチンユニットに備えられる構成を採用してもよい。
【符号の説明】
【００３７】
１  コンロ本体
２  天板
５  主電源
６  電動バルブ
７  コントローラ
１０  加熱部（コンロバーナ）
１１  五徳
１２  鍋底温度センサ
２０  グリル
３０  排気口
５０  通気口
１００  操作部
１０５  操作パネル
１０７  揺動軸
１１０  切／入キー
１２０  火力調整キー
１３０  ＬＥＤ
ＭＳ  操作スイッチ
ＳＫ  システムキッチン
【図１】
2014066514.tif 000003
【図２】
2014066514.tif 000004
【図３】
2014066514.tif 000005
【図４】
2014066514.tif 000006
【図５】
2014066514.tif 000007
【図６】
2014066514.tif 000008
【図７】
2014066514.tif 000009